(57)【要約】【課題】  本発明は、肩甲骨周りの凝りや痛みが気になることにより、なかなか寝つけない人を、入眠しやすくするための入眠誘導指圧具を提供する。【解決手段】  手の平サイズの台座の上面に肩甲骨周りの凝りを捕らえるための親指を模した弓なりの凝りを捕らえる側が丸みを帯びた紡錘型の箆状の突起を取り付け、台座と突起の間に空間部を設けた入眠誘導指圧具。【選択図】図１
2017074345.tif 000002
【特許請求の範囲】
【請求項１】
手の平サイズの頑丈かつ安全な体重を支えるための台座を設け、台座の上面に肩甲骨まわりの硬結を捕らえるための親指を模した弓なりの凝りを補える側が丸みを帯びた紡錘型の箆状の突起を設け、台座と突起の間に空間部を設けた入眠誘導指圧具。
【発明の詳細な説明】
【技術分野】
【０００１】  本発明は、肩甲骨周りの凝りや痛みが気になることにより、なかなか寝つけない人を、入眠しやすくするための入眠誘導指圧具に関するものである。
【背景技術】
【０００２】  従来、筋肉の凝りや硬さを解消するものの多くは電動式の座イス状のものから足を専門にほぐすものや自分自身の腕力を利用して使用するものまで、覚醒時に使用するものが知られている。
また、特許文献１や特許文献２、特許文献３が知られている。
寝床に入り、身体を動かさない状態でいると、血流がゆっくりになり、筋肉の緊張はさらに強くなる。
肩こりがある人では、特に肩甲骨周りに違和感を覚え、その中でも、第１〜第４頸椎の横突起を起始部とし、肩甲骨上角付近を停止部とする肩甲挙筋の硬さは非常に強くなる傾向がある。
そして、この部位は背骨の構造上、脊柱彎曲の頸椎彎曲（後方凹）の影響をうけるため、仰向けになった状態で凝りを捕え緩解することは難しい。
それ故肩はもとより首の緊張も解消されないことから、中々寝つくことができなかった。
【先行技術文献】
【特許文献】
【０００３】
【特許文献１】  特開２０１２−０９５１７６号公報
【特許文献２】  特開２００５−１６３２０５号公報
【特許文献３】  特開平１１−２６４８５７号公報
【発明の概要】
【発明が解決しようとする課題】
【０００４】  そのために次のような問題があった。
身体の筋肉の凝りを解消するには、器具の置き場所の確保が必要であったり、自分自身の腕力を必要とするため、覚醒時に使用する。
そのため、寝床に入ってからの使用は不可能だった。
また、寝入りにつく前は、身体を動かさない状態になるため、血流がゆっくりになり、普段気になっている筋肉の緊張は、さらに強くなってしまう。
肩こりがある人の場合、とくに肩甲骨周りに違和感を覚えることが多い。
その中でも、第１〜第４頸椎の横突起を起始部とし、肩甲骨上角付近を停止部とする、肩甲挙筋の硬さは非常に強くなる傾向がある。
しかし、仰向けになった場合、この部位は背骨の構造上脊柱彎曲の頸椎彎曲（後方凹）の影響をうけるため、凝りを捕らえ緩解することは不可能だった。
また、特許文献１では、磁力を利用し自らの手で持ち、コリ、痛みの改善を目的とするが体重を利用しての使用も十分可能であると推測する。
しかしながら、この様な形状では肩甲挙筋の性質上、コリを捕らえようとすると、指圧具本体が倒れてしまう恐れがある。
特許文献３においても、同様のことが言える。
また、特許文献２においては、粘着性接着剤を取り付けたことを特徴としている。
仮に寝床に入り肩甲骨上角付近の辺りに、この指圧具を設置したとする。
しかしながら肩甲骨まわりをほぐすことはできるが、肩甲挙筋のコリを捕らえることは難しい。
また、粘着性のもので指圧具を固定してしまうと、逆に入眠の妨げになる恐れがある。
そして、この文献３つ共に、肩甲骨まわりの治療法として用いられる肩甲骨はがしという技法を再現することは難しい。
本発明は以上の問題点を解決するためになされたものである。
【課題を解決するための手段】
【０００５】  入眠してからも邪魔にならない手の平サイズの頑丈かつ、安全な体重を支えるための台座を設け、台座の上面に肩甲骨周りの硬結を捕らえるための親指を模した弓なりの先端が丸みを帯びた箆（ヘラ）状の突起を設け、台座と突起の間に空間部を設ける。
以上の構成よりなる入眠誘導指圧具。
【発明の効果】
【０００６】  従来は、仰向けになった状態で肩甲挙筋の硬結を捕らえ、緩解することは不可能だった。
本発明は指圧師が治療法として用いる、肩甲骨はがし、という肩甲骨まわりに対する技法の再現性が高く、その中でも肩甲挙筋の硬結を緩めることにおいては、とくに成果が実感できる。
この肩甲挙筋の硬結を緩めることにより、肩はもとより首まわりの違和感も解消される。
それに伴い、血流が良くなり自律神経のバランスが整い入眠時に必要とされる副交感神経の働きが優勢となり、肩甲骨まわりの凝り感が気になってなかなか寝つけない人を入眠に導くことができる。
また、本発明は指圧具としての網羅性が高く股関節まわり、及び、腰、背中と体重を利用する部分であれば、適度な刺激量により、硬結を補え、緩解することができる。
【図面の簡単な説明】
【０００７】
【図１】  本発明の斜視図である。
【図２】  本発明の使用状態の説明図である。
【図３】  本発明の使用状態の説明図である。
【図４】  本発明の側面図である。
【発明を実施するための形態】
【０００８】  以下、本発明の実施の形態について説明する。
（イ）仰向けになった状態で、体重を支えるための手の平サイズの台座（１）を設ける。
（ロ）手の平サイズの台座（１）の上面に肩甲骨まわりの凝りを捕えるための形状が箆（ヘラ）状をし親指を模した弓なりの突起（２）を設ける。
（ハ）手の平サイズの台座（１）と形状が箆状をし、親指を模した弓なりの突起（２）の間に肩甲骨周りの治療法として用いられる肩甲骨はがしを再現するための空間部（３）を設ける。
本発明は以上のように構成された入眠誘導指圧具。
本発明を使用するときは、図３のように仰向けの状態で寝床に入り、肩こりの場合図２のように、とくに凝り感の強い肩甲骨上角付近にある肩甲挙筋（５）の硬結部分に、台座（１）の位置を合わせ、肩甲骨まわりの治療法で用いる肩甲骨はがしを再現するため、弓なりの突起（２）を肩甲骨上角付近の肩甲挙筋（５）の硬結と密着させる。
この肩甲挙筋（５）は脊柱彎曲の（後方凹）の影響を受けるため、凝りを仰向けの状態で捕らえるのは非常に難しい部位だが、突起（２）の形状が箆状の親指を模した弓なりであり、台座（１）との間に空間部（３）を設けているため、肩甲骨（４）の下部に入り込むことができ肩甲骨はがしを再現することができる。
また、凝りと密着させる突起（２）は紡錘型であるため、すべりづらい。
そのため、肩甲骨上角付近の硬結をしっかりと補えることができる。
それにより、硬結が解消され血流が良くなる。
肩甲挙筋（５）の起始部は、第１〜第４頸椎に付着している。
そのため、肩まわりはもとより、首の硬さも解消される。
肩から首にかけての凝り感が解消されると、血流も促進され、それに伴い、自律神経の交感神経と副交感神経のバランスが整い、入眠時に必要とされる、副交感神経の働きが優勢となり、知らぬ間に眠りにつくことができる。
【符号の説明】
【０００９】  １  台座
２  突起
３  空間部
４  肩甲骨
５  肩甲挙筋
【図１】
2017074345.tif 000003
【図２】
2017074345.tif 000004
【図３】
2017074345.tif 000005
【図４】
2017074345.tif 000006